(57)【要約】【課題】周囲に人が居るという擬音発生が必要な場合にのみ擬音を発生させることが可能であり、トイレルームへの設置が容易な擬音システムを提供する。【解決手段】個室スペース８ａ〜８ｃにそれぞれケーシング２０ａ〜２０ｃが設置され、その内部にそれぞれ擬音発生器２２ａ〜２２ｃ、個室スペース用人体検知センサ２４ａ〜２４ｃ、制御回路２６ａ〜２６ｃが設置されている。共通スペース６に人が居ないときには、２以上の個室スペースに人が居る場合に限り擬音発生器が作動する。共通スペース６に人が居るときには、入室中の個室スペースの擬音発生器のみが作動する。【選択図】  図１
2004197459.tif 000002
【特許請求の範囲】
【請求項１】
仕切部材によって個室スペースと共通スペースとが区画されたトイレルームに設置される擬音システムにおいて、
該個室スペースに設けられた擬音発生器と、
該共通スペースの人体を検知する人体検知センサと、
該人体検知センサの検知信号に基づいて該擬音発生器を作動させる制御手段と、
を備えたことを特徴とする擬音システム。
【請求項２】
請求項１において、
前記個室スペース内の人体を検知する個室スペース用人体検知センサが設けられており、
前記制御手段は、個室スペース及び共通スペースのいずれにも人体が検知されるときに擬音発生器を作動させることを特徴とする擬音システム。
【請求項３】
請求項２において、前記個室スペースが複数個設けられており、前記制御手段は、人が検知される個室スペースの擬音発生器のみを作動させることを特徴とする擬音システム。
【請求項４】
仕切部材によって区画された共通スペースと複数個の個室スペースとを有するトイレルームに設置される擬音システムにおいて、
該個室スペースに設けられた擬音発生器と、
該共通スペースの人体を検知する共通スペース用人体検知センサと、
各個室スペースの人体を検知する個室スペース用人体検知センサと、
これらの人体検知センサの検知信号に基づいて該擬音発生器を作動させる制御手段と、
を備えてなり、該制御手段は、
該共通スペースと少なくとも１つの個室スペースに人体が検知されるとき；及び
複数の個室スペースに人体が検知されるとき
に、それぞれ人体が検知される個室スペースの擬音発生器を作動させることを特徴とする擬音システム。
【請求項５】
請求項１ないし４のいずれか１項において、前記人体検知センサはマイクロ波センサであることを特徴とする擬音システム。
【請求項６】
トイレルーム内の個室スペースに設置される擬音発生器と、
トイレルーム内の人体を検知するマイクロ波センサと、
該マイクロ波センサの人体検知信号に基づいて該擬音発生器を作動させる制御手段と、
を有する擬音システム。
【請求項７】
請求項６において、該マイクロ波センサと擬音発生器とが共通のケーシング内に設置されており、
該ケーシングには、さらに、該ケーシングが設置される個室スペース内の人体を検知する非マイクロ波センサが設けられており、
前記制御手段は、該非マイクロ波センサが人体を検知しており、且つ前記マイクロ波センサが２以上の人体を検知しているときに該擬音発生器を作動させることを特徴とする擬音システム。
【発明の詳細な説明】
【０００１】
【発明の属する技術分野】
本発明は、トイレルームにおいて擬音を発生させる擬音システムに関する。
【０００２】
【従来の技術】
ブース内のトイレ使用時の音を周囲に聞かれないようにするために、種々の水の流れの音を発生させる擬音発生器は特開平９−２２１８０６号公報、実開昭６０−６３２９４号公報などに見られる通り周知である。
【０００３】
【特許文献１】
特開平９−２２１８０６号公報
【特許文献２】
実開昭６０−６３２９４号公報
【０００４】
【発明が解決しようとする課題】
上記従来の擬音発生器は、個室状のトイレスペースに人が入ると、この人体がセンサで検知されて擬音が発生するよう構成されているが、周囲に人が居る居ないに拘らず擬音発生器が作動することになるため、擬音発生器が無駄に作動することが少なくない。
【０００５】
本発明は、周囲に人が居るという擬音発生が必要な場合にのみ擬音を発生させることが可能な擬音システムを提供することを目的とする。
【０００６】
また、本発明は、トイレルームへの設置が容易な擬音システムを提供することを目的とする。
【０００７】
【課題を解決するための手段】
本発明（請求項１）の擬音システムは、仕切部材によって個室スペースと共通スペースとが区画されたトイレルームに設置される擬音システムにおいて、該個室スペースに設けられた擬音発生器と、該共通スペースの人体を検知する人体検知センサと、該人体検知センサの検知信号に基づいて該擬音発生器を作動させる制御手段と、を備えたことを特徴とするものである。
【０００８】
かかる擬音システムにあっては、共通スペースに人が居ると、擬音が発生するので、共通スペースに居る人にトイレ使用時音が明瞭に聴取されることが防止される。共通スペースに人が居ないときには、個室スペースに使用者が入室しても擬音は発生しないよう構成することができ、擬音発生器が無駄に作動することが防止される。
【０００９】
本発明では、個室スペース内の人体を検知する個室スペース用人体検知センサが設けられており、前記制御手段は、個室スペース及び共通スペースのいずれにも人体が検知されるときに擬音発生器を作動させることが好ましい（請求項２）。このように構成した場合には、共通スペースにのみ人が居り、個室スペースには人が居ないときには、擬音発生器が作動せず、擬音発生器の無駄な作動が防止される。
【００１０】
この場合において、個室スペースが複数個設けられているときには、人が居る個室スペースの擬音発生器のみを作動させるのが好ましい（請求項３）。
【００１１】
本発明（請求項４）の擬音システムは、仕切部材によって区画された共通スペースと複数個の個室スペースとを有するトイレルームに設置される擬音システムにおいて、該個室スペースに設けられた擬音発生器と、該共通スペースの人体を検知する共通スペース用人体検知センサと、各個室スペースの人体を検知する個室スペース用人体検知センサと、これらの人体検知センサの検知信号に基づいて該擬音発生器を作動させる制御手段と、を備えてなり、該制御手段は、該共通スペースと少なくとも１つの個室スペースに人体が検知されるとき；及び複数の個室スペースに人体が検知されるときに、それぞれ人体が検知される個室スペースの擬音発生器を作動させることを特徴とするものである。
【００１２】
かかる擬音システムにあっては、共通スペースと１又は２以上の個室スペースとに人が居る場合、人が居る個室スペースの擬音発生器が作動する。また、共通スペースに人は居ないが、２以上の個室スペースに人が居るときには、人が居る個室スペースの擬音発生器が作動する。これにより、個室スペースの使用者は、そのトイレ使用時音が他の個室スペース使用者に明瞭に聴取されることがない。周囲の共通スペースあるいは個室スペースに人が居ないときには、個室スペースに人が居ても擬音発生器は作動させず、擬音発生器の無駄な作動が防止される。
【００１３】
これらの擬音システムにあっては、人体検知センサはマイクロ波センサであってもよい（請求項５）。
【００１４】
本発明（請求項６）の擬音システムは、トイレルーム内の個室スペースに設置される擬音発生器と、トイレルーム内の人体を検知するマイクロ波センサと、該マイクロ波センサの人体検知信号に基づいて該擬音発生器を作動させる制御手段と、を有するものである。
【００１５】
このマイクロ波センサは、仕切パネルを透過するので、個室スペース内に設置されていても、共通スペースや他の個室スペースの人体を検知することが可能である。また、マイクロ波センサと擬音発生器とを１個のケーシングに納めて個室スペースに設置することも可能となる。これにより、マイクロ波センサ及び擬音発生器の設置作業が簡単になる。このケーシング内に電池を設置し、マイクロ波センサ及び擬音発生器が電池で駆動されるようにした場合には、電気配線を行うことなくマイクロ波センサ及び擬音発生器を設置することができる。
【００１６】
擬音発生器とマイクロ波センサを共通のケーシング内に設置してなる擬音システムにあっては、ケーシングが設置される個室スペース内の人体を検知する非マイクロ波センサが設けられており、前記制御手段は、該非マイクロ波センサが人体を検知しており、且つ前記マイクロ波センサが２以上の人体を検知しているときに該擬音発生器を作動させるよう構成してもよい（請求項７）。
【００１７】
かかる擬音システムにあっては、該ケーシングが設置された個室スペース内に人が居り、且つこの個室スペースの周囲にも人が居る場合だけ当該ケーシング内の擬音発生器が作動する。従って、周囲に人が居ても、当該個室スペース内に人が居ないときには擬音発生器は作動しない。また、個室スペース内に人が居ても、その周囲に人が居ないときには、マイクロ波センサの検知人員が１名であるので、擬音発生器は作動しない。
【００１８】
非マイクロ波センサとしては、赤外線センサ、超音波センサ、焦電センサ等が例示される。
【００１９】
【発明の実施の形態】
以下、図面を参照して本発明の実施の形態について説明する。図１は本発明の実施の形態に係る擬音システムを備えたトイレルームの平面図、図２はこの擬音システムのブロック図である。
【００２０】
トイレルーム２内は、仕切部材４によって、共通スペース６と、３室の個室スペース８ａ，８ｂ，８ｃとに区画されている。トイレルーム２の１つの壁面には、トイレルームに出入りするためのドア１０が設けられている。仕切部材４には共通スペース６から各個室スペース８ａ，８ｂ，８ｃに出入りするためのドア１２が設けられている。
【００２１】
各個室スペース８ａ，８ｂ，８ｃには便器１４が設置されており、この便器１４の後部上面には、フラッシュ弁１６を備えた給水管１８が接続されている。なお、便器はロータンク式又はハイタンク式のものでもよく、和風便器であってもよい。
【００２２】
各個室スペース８ａ，８ｂ，８ｃの便器側方の壁面には、各々ケーシング２０ａ，２０ｂ，２０ｃが取り付けられている。各ケーシング２０ａ，２０ｂ，２０ｃ内には、擬音発生器２２ａ，２２ｂ，２２ｃと、各個室スペース内の人体のみを検知する非マイクロ波センサよりなる個室スペース用人体検知センサ２４ａ，２４ｂ，２４ｃと、制御回路２６ａ，２６ｂ，２６ｃとが設けられている。
【００２３】
共通スペース６内には洗面台３０が設けられており、この洗面台３０には洗面鉢３２と水栓３４とが設けられている。
【００２４】
共通スペース６の壁面のうち、ドア１０を設けた壁面と対向する壁面には、共通スペース６内の人体のみを検知する非マイクロ波センサよりなる共通スペース用人体検知センサ４０が取り付けられている。なお、これらの人体検知センサ２４ａ，２４ｂ，２４ｃ，４０としては、例えば赤外線センサ、超音波センサ、焦電センサ等を用いることができる。
【００２５】
共通スペース用人体検知センサ４０の検出信号は各制御回路２６に入力されている。各個室スペース用人体検知センサ２４ａ，２４ｂ又は２４ｃの検出信号は、当該個室スペース用人体検知センサ２４ａ，２４ｂ又は２４が設けられたケーシング２０ａ，２０ｂ又は２０ｃ内の制御回路２６ａ，２６ｂ又は２６ｃに入力されていると共に、電波（又はリード線）により他の制御回路２４ａ，２４ｂ又は２４ｃにも入力されている。制御回路２６ａ，２６ｂ又は２６ｃからは、当該制御回路２６ａ，２６ｂ又は２６ｃが設けられたケーシング２０ａ，２０ｂ又は２０ｃ内の擬音発生器２２ａ，２２ｂ又は２２ｃに動作電流が供給される。
【００２６】
なお、この実施の形態では、擬音発生器２２ａ〜ｃ、人体検知センサ２４ａ〜ｃ，４０、制御回路２６ａ〜ｃはそれぞれ電池を電源とするものであり、人体検知センサ４０からの信号は電波により制御回路２６ａ〜ｃに入力される。ただし、リード線を介してセンサ４０の信号が制御回路２６に入力されてもよい。
【００２７】
このように構成された擬音システムにおいては、共通スペース６及び各個室スペース８ａ〜８ｃの人体の有無により擬音発生器２２ａ〜ｃは次の表１の通り動作する。
【００２８】
【表１】
2004197459.tif 000003
【００２９】
従って、個室スペース８ａ，８ｂ，８ｃのいずれか１室に人が居ても、他の２室と共通スペース６とのいずれにも人が居なければ、擬音発生器は作動せず、擬音発生器の無駄な作動が解消される。また、個室スペースに人が居り且つ他の個室スペースもしくは共通スペース６に人が居る場合には、人が居る個室スペースの擬音発生器が作動するので、当該個室スペースのトイレ使用時音が他人に聞かれることが防止される。
【００３０】
上記実施の形態では個室スペースが３室設けられているが、１，２又は４室以上であってもよい。個室スペースが２室以上の場合の動作は上記表１と同様である。
【００３１】
個室スペースが１室のみ設けられている場合には、共通スペースと個室スペースとのいずれにも人が居る場合に限り擬音発生器が作動し、他の場合は擬音発生器は作動しない。従って、個室スペースに人が居ても共通スペースに人が居なければ擬音発生器は作動しないので、擬音発生器の無駄な作動が防止される。
【００３２】
図１の実施の形態では、人体検知センサ２４ａ〜ｃ，４０は赤外線センサ、焦電センサ、超音波センサなどマイクロ波センサ以外のものとなっているが、ケーシング内にマイクロ波センサを設けた場合には、共通スペース用人体検知センサ４０を省略した擬音システムとすることができる。即ち、マイクロ波センサのマイクロ波は、当該ケーシングが設置された個室スペースの人体だけではなく、仕切部材４を透過して共通スペース６及び他の個室スペース内の人体をも検知するので、共通スペース用人体検知センサ４０を省略することができる。
【００３３】
図３はこのようにマイクロ波センサを備えた個室スペース用擬音発生器の構成を示すブロック図である。
【００３４】
ケーシング２０内に擬音発生器２２、非マイクロ波センサよりなる個室スペース用人体検知センサ２４、マイクロ波センサ５０及び制御回路２６が設置されている。個室スペース用人体検知センサ２４及びマイクロ波センサ５０の検出信号は制御回路２６に入力されており、制御回路２６から擬音発生器２２に作動電流が供給される。図示はしないが、ケーシング２０内には乾電池が設置されており、擬音発生器２２、センサ２４，５０及び制御回路２６はこの乾電池によって作動する。
【００３５】
非マイクロ波センサよりなる個室スペース用人体検知センサ２４は、当該ケーシング２０が設置された個室スペース内の人体のみを検知する。
【００３６】
マイクロ波センサ５０は、共通スペース６及び各個室スペース８ａ，８ｂ，８ｃの人体の有無を検知する。この実施の形態では、マイクロ波センサ５０は、人体までの距離を検出する２周波ドップラーセンサである。マイクロ波は、仕切部材４を透過するので、共通スペース６及び各個室スペース８ａ〜８ｃのいずれに居る人体をも検知する。
【００３７】
この図３のケーシング２０を各個室スペース８ａ〜８ｃの好ましくは奥壁面に設置しておく。このケーシング２０の擬音発生器２０の動作は次の表２の通りである。
【００３８】
【表２】
2004197459.tif 000004
【００３９】
即ち、当該ケーシングが設置された個室スペース内に人が居ないときには、他の個室スペースや共通スペースの人の有無に拘らず擬音発生器２２は作動しない（ケースａ，ｂ，ｄ）。
【００４０】
マイクロ波センサ５０が人体を１人だけ検知しているが、その人体が当該個室スペースに居るときには、共通スペースに人が居ないことになるので、擬音発生器２２は作動しない（ケースｃ）。
【００４１】
マイクロ波センサ５０が２以上の人体を検知し且つそのうちの１名は当該個室スペースに居る場合（ケースｅ）のみ、擬音発生器２２が作動する。
【００４２】
このように、個室スペースに人が居り、且つ他の個室スペース又は共通スペースに人が居る場合のみ擬音発生器２２が作動し、その他の場合には擬音発生器２２は作動しないので、擬音発生器２２が無駄に作動することがない。
【００４３】
上記実施の形態は本発明の一例であり、本発明は上記以外の構成をもとりうる。例えば、共通スペースは小便器が設けられてもよい。上記のケーシング２２，２２ａ〜２２ｃはトイレ用リモコンのケーシングであってもよい。
【００４４】
【発明の効果】
以上の通り、本発明の擬音システムによると、周囲に人が居るという擬音発生が必要な場合にのみ擬音を発生させることができる。
【図面の簡単な説明】
【図１】実施の形態に係る擬音システムを備えたトイレルームの平面図である。
【図２】図１の擬音システムの構成を示すブロック図である。
【図３】別の実施の形態に係る擬音システムの構成を示すブロック図である。
【符号の説明】
２  トイレルーム
４  仕切部材
６  共通スペース
８ａ，８ｂ，８ｃ  個室スペース
１０  ドア
１２  ドア
１４  便器
２０，２０ａ，２０ｂ，２０ｃ  ケーシング
２２，２２ａ，２２ｂ，２２ｃ  擬音発生器
２４，２４ａ，２４ｂ，２４ｃ  個室スペース用人体検知センサ
２６，２６ａ，２６ｂ，２６ｃ  制御回路
３０  洗面台
４０  共通スペース用人体検知センサ
５０  マイクロ波センサ
【図１】
2004197459.tif 000005
【図２】
2004197459.tif 000006
【図３】
2004197459.tif 000007